(57)【要約】【課題】簡単な構造により地震の危険を直ちに知らせると同時に、必要に応じて感度調整の可能な地震感知警報器を提供する。【解決手段】内部に電源供給部１２及び音声装置３を具有する外殻１、及び該外殻１内部に設けられる金属上極板２０と金属下極板２１を含むタッチコントロール装置２を設け、該上極板２０底部には底部に設けられる連結棒２２１と該連結棒２２１尾部に螺設されて高さの調整ができる錘２２２による金属振動部２２を設け、且つ該錘２２２は上端が小さく底部が大きい略円錐形を呈したものとし、更に該下極板２１には該振動部２２が貫通する穿孔２１１を設け、導線により該タッチコントロール装置２と電源供給部１２とに連結する。【選択図】        図１
0003109113.tif 000002
【実用新案登録請求の範囲】
【請求項１】
中空を呈した外殻、タッチコントロール装置、音声装置より構成される地震感知警報器において、
電源供給部が内部に設置される該外殻と、
上下に隔てられてそれぞれ該外殻内部に設けられる金属上極板と金属下極板を具有し、該上極板底部には可動な状態で金属振動部が設けられており、該振動部は該上極板底部に可動な状態で該上極板底部に設けられた連結棒、及び該連結棒尾部に螺設された高さの調整が可能な錘からなり、該錘は上部が小さく下部が大きい略円錐形を呈しており、該下極板上には該振動部の錘より径の大きい穿孔が設けられ、該上極板より垂直に下がる該振動部の錘が該穿孔内を貫通している該タッチコントロール装置と、
該外殻内に設けられた音声を発する電子部品であり、導線により該タッチコントロール装置と該外殻内の電源供給部とに連結され、該タッチコントロール装置で音声の発生をコントロールする該音声装置と、
を具有することを特徴とする地震感知警報器。
【請求項２】
該タッチコントロール装置は上方に水平儀が増設されることを特徴とする請求項１記載の地震感知警報器。
【請求項３】
該タッチコントロール装置は該外殻において該錘と相対する側に、地震の揺れのレベルが刻まれた目盛板が設置され、さらに該錘上には表示線が設けられることを特徴とする請求項１記載の地震感知警報器。
【考案の詳細な説明】
【技術分野】
【０００１】
本考案は、地震感知警報器に係り、特に地震が起こった際に直ちに音声を発して人々に警告を促す地震警報器に関わる。
【特許文献１】特開平１０−６２２３４号公報
【特許文献２】台湾  第288609号公報
【特許文献３】台湾  第262142号公報
【背景技術】
【０００２】
日本は、地震が多発する地帯にあり、全国には活断層、非活断層が分布している。現在は科学技術が発達しているが、しかし地震が起こる時を前もって確実に知るすべはなく、いつ災難に遭遇するかわからないといった危険性があり、特に深夜に地震が発生して熟睡していた場合など、警告がなければ避難が遅れて重大な事故に繋がる恐れがある。
よって地震が発生した際に直ちにその危険を知らせるべく、各種地震警報装置が既に考案されている。こういった地震警報装置では、例えばコップ状を呈した装置内部に鉄球が設けられ、地震の際に該鉄球が転がることで音が生じ、更にこの音を感知してブザーが鳴る仕組みのものがある。また装置内部に振り子と感応コイルが設けられ、地震が発生すると振り子が揺れて音声装置が音声を発するもの等がある。
【考案の開示】
【考案が解決しようとする課題】
【０００３】
しかし上述のような公知における地震警報装置では、以下のような欠点がある。
まず音声を受けてブザー音が発せられるものであるが、外部からの比較的大きな音が感知されるとブザーが鳴ってしまい、誤作動が起こりやすいこと。次に振り子を具有するタイプのものでは、振り子の長さが固定されており、地震の揺れがある一定のレベルに達しない限り警報の音声が発せられず、家屋の構造に応じて地震による揺れの程度も異なるのに対して調整ができないこと、並びに構造が複雑でコストが高いといった経済面での欠点もあり実用性に欠けることが言える。
そこで簡単な構造により地震の危険を直ちに知らせると同時に、地震のレベルや家屋の構造等に応じて調整の利く本考案の地震感知警報器を提供する。
【課題を解決するための手段】
【０００４】
外殻とタッチコントロール装置と音声装置とを設け、該外殻の中空を呈した内部には電源供給部を設け、該タッチコントロール装置には上下に分けられて該外殻内部に設けられる金属上極板と金属下極板を設け、該上極板底部には可動な状態で金属振動部を設け、該金属振動部とは該上極板底部に設けられる連結棒と該連結棒尾部に螺設されて高度の調整が利く錘であり、該錘は上端が小さく底部が大きい略円錐形を呈したものとし、該下極板には該振動部よりも大きい穿孔を設け、該上極板より下垂する該振動部が該穿孔を貫通するようにし、また該音声装置とは該外殻内に設置されて音声を発する電子部品とし、導線により該タッチコントロール装置と該外殻内の電源供給部とに連結させ、該電源供給部により電源を提供し、該タッチコントロール装置で該音声装置をコントロールする。
【考案の効果】
【０００５】
本考案によると、地震が発生すると直ちに音声が流れて避難を促すことにより、地震による災害を食い止め、人々の命や安全を確保する効果が提供される。
【考案を実施するための最良の形態】
【０００６】
図１に示すように、本考案は中空を呈した外殻１を具有し、該外殻１は前外殻１０及び後外殻１１が組み合わせられて中空を呈しているのであり、該前外殻１０と後外殻１１とは嵌合、或いは螺合、或いはその他の方式により一体化されるものとし、且つ該外殻１内部には乾電池或いは蓄電池等である電源供給部１２が設けられている。
【０００７】
タッチコントロール装置２においては、上下に隔てられて該外殻１内部に設けられた金属上極板２０及び金属下極板２１を含み、該上極板２０と下極板２１と外殻１とは絶縁状態にあるものとし、該上極板２０底部には垂直且つ可動な状態で金属振動部２２が設けられ、該振動部２２は可動な状態で該上極板２０底部に設けられた金属連結棒２２１、及び該金属連結棒２２１尾部に設けられた金属錘２２２より構成され、該連結棒２２１と該錘２２２とは螺設されて連結され、該錘２２２は高さが調整可能なものであり、該錘２２２は上部が小さく下部が大きい略円錐形を呈したものとし、該下極板２１上には孔の内径が該錘２２２の穿孔２１１より大きく、該上極板２０より下垂する振動部２２が該穿孔２１１中を貫通しており、平時では接触していない状態に置かれているものとする。該タッチコントロール装置２は、該外殻１における該錘２２２の片側に位置する個所に地震のレベルを示す目盛板２３を設けてもよく、該錘２２２上には表示線２２３を設け、使用者が予め設定した地震のレベルに合わせて該錘２２２の高低を調整するものとする。また該タッチコントロール装置２上方には水平儀２２４を設け、組み立てを行う者などが水平となる位置を知る目安にする。
【０００８】
音声装置３においては、該外殻１中に設けられて音声を発する電子部品であり、該音声装置３上には音量調節ボタン３１、音声選択ボタン３２及び弱電ランプ３３が設けられ、導線によりそれぞれ該タッチコントロール装置２及び該外殻１内の電源供給部１２に連結される。該電源供給部１２が該音声装置３の必要な電源を供給し、該タッチコントロール装置２は、該音声装置３の音の発生を制御し、これらにより地震感知警報器が構成されるものとする。該音声装置３中には、弱電ブザーが設けられ、該電源供給部１２の電力が不足すると、上述の音声とは異なるブザー音が発せられると同時に該弱電ランプ３３が点滅し、使用者に電源供給部１２の電池を交換する、或いは充電しなければならないことを知らせる。
【０００９】
具体的な使用状況においては、図２に示すように、本考案の地震警報器を建築物室内の壁面に掛けるなどして設置し、平時では該タッチコントロール装置２中に垂直に設けられている上極板２０の該振動部２２が、該下極板２１の穿孔２１１中では接触していない状態、即ち該音声装置３の回路が通じていない状態にあるため、音声が発せられない。一旦地震が起こると、建築物が地震の発生により振動し、設定された揺れのレベルに達したとき、該上極板２０底部に垂直に設置された振動部２２が揺らぎ、該下極板２１と接触し、該音声装置３が音声を発することで人々に至急避難するよう警告し、早期の避難を促すことで、地震による被害を低減させる。
【００１０】
図３に示すように、本考案では地震の揺れのレベルがわかるようになっており、略円錐形を呈した錘２２２が調整を経て該連結棒２２１に螺設されるが、この高さの調節を行なうことで、該錘２２２における該下極板２１の穿孔２１１に対応する個所の外径の大小、及び該錘２２２と下極板２１の接触に必要な揺れ幅を変え、こうすることで該音声装置３が音声を発するタイミングを調整する。例えば該錘２２２の直径が比較的小さい側である上部が該下極板２１に位置するよう調節されると、有感地震において揺れのレベルが比較的強い際に音声が発せられるようになる。また本考案では該錘２２２の片側に目盛板２３を設けるが、該錘２２２の高低を調整する際の参考とする。
【図面の簡単な説明】
【００１１】
【図１】本考案における立体分解図である。
【図２】本考案における使用状態図（１）である。
【図３】本考案における使用状態図（２）である。
【符号の説明】
【００１２】
１  外殻
１０  前外殻
１１  後外殻
１２  電源供給部
２  タッチコントロール装置
２０  上極板
２１  下極板
２１１  穿孔
２２  金属振動部
２２１  金属連結棒
２２２  金属錘
２３  目盛板
２２３  表示線
２２４  水平儀
３  音声装置
３１  調節ボタン
３２  選択ボタン
３３  弱電ランプ
【図１】
0003109113.tif 000003
【図２】
0003109113.tif 000004
【図３】
0003109113.tif 000005